(57)【要約】【課題】  大容量のデータを確実に伝送することができる無線伝送システム、遠隔操作装置及び電子機器、並びに無線伝送方法を提供する。【解決手段】  遠隔操作装置１０は、遠隔操作信号を送信する遠隔操作信号送信モジュール１１と、遠隔操作信号送信後又は遠隔操作信号送信中にミリ波帯又はマイクロ波帯の無変調キャリア信号を受信し、当該無変調キャリア信号を変調して反射信号として送信する反射信号送信モジュール１２とを備える。また、電子機器２０は、遠隔操作信号を受信する遠隔操作信号受信モジュール２１と、ミリ波帯又はマイクロ波帯の無変調キャリア信号を送信し、当該無変調キャリア信号が変調された反射信号を受信する反射信号受信モジュール２２と、遠隔操作信号の受信状態に応じて無変調キャリア信号の送信を制御する制御モジュール２３とを備える。【選択図】  図１
2008131598.tif 000002
【特許請求の範囲】
【請求項１】
遠隔操作装置と当該遠隔操作装置によって遠隔操作される電子機器との間で無線伝送を行う無線伝送システムにおいて、
上記遠隔操作装置は、
遠隔操作信号を送信する遠隔操作信号送信手段と、
上記遠隔操作信号の送信後又は送信中にミリ波帯又はマイクロ波帯の無変調キャリア信号を受信し、当該無変調キャリア信号を変調して反射信号として送信する反射信号送信手段とを備え、
上記電子機器は、
遠隔操作信号を受信する遠隔操作信号受信手段と、
ミリ波帯又はマイクロ波帯の無変調キャリア信号を送信し、当該無変調キャリア信号が変調された反射信号を受信する反射信号受信手段と、
上記遠隔操作信号の受信状態に応じて上記無変調キャリア信号を送信するか否かを制御する制御手段とを備える
ことを特徴とする無線伝送システム。
【請求項２】
上記遠隔操作信号受信手段は、上記遠隔操作信号を受光する複数の受光部を有し、
上記制御手段は、各受光部の受光レベルに応じて上記遠隔操作信号の送信位置を判別すること特徴とする請求項１記載の無線伝送システム。
【請求項３】
上記反射信号受信手段は、上記無変調キャリア信号を発振する発振部と、上記反射信号を復調する復調部と、上記無変調キャリア信号を送信するともに上記反射信号を受信するアンテナとがサーキュレータに接続されてなり、
上記反射信号送信手段は、上記無変調キャリア信号を変調して反射信号とする変調部と、上記無変調キャリア信号を受信するともに上記反射信号を送信するアンテナとがサーキュレータに接続されてなる
こと特徴とする請求項１記載の無線伝送システム。
【請求項４】
上記遠隔操作装置は、データを記憶する記憶媒体を着脱可能に受容する記憶媒体受容部をさらに備え、
上記反射信号送信手段は、上記受容部を介して上記記憶媒体に記憶されたデータを上記反射信号としてバースト転送することを特徴とする請求項１記載の無線伝送システム。
【請求項５】
上記電子機器は、上記遠隔操作信号の受信状態を報知する報知手段をさらに備えることを特徴とする請求項１記載の無線伝送システム。
【請求項６】
遠隔操作信号を送信する遠隔操作信号送信手段と、
上記遠隔操作信号の送信後又は送信中にミリ波帯又はマイクロ波帯の無変調キャリア信号を受信し、当該無変調キャリア信号を変調して反射信号として送信する反射信号送信手段と
を備えることを特徴とする遠隔操作装置。
【請求項７】
上記反射信号送信手段は、上記無変調キャリア信号を変調して反射信号とする変調部と、上記無変調キャリア信号を受信するともに上記反射信号を送信するアンテナとがサーキュレータに接続されてなること特徴とする請求項６記載の遠隔操作装置。
【請求項８】
データを記憶する記憶媒体を着脱可能に受容する記憶媒体受容部をさらに備え、
上記反射信号送信手段は、上記受容部を介して上記記憶媒体に記憶されたデータを上記反射信号としてバースト転送すること特徴とする請求項６記載の遠隔操作装置。
【請求項９】
遠隔操作信号を受信する遠隔操作信号受信手段と、
ミリ波帯又はマイクロ波帯の無変調キャリア信号を送信し、当該無変調キャリア信号が変調された反射信号を受信する反射信号受信手段と、
上記遠隔操作信号の受信状態に応じて上記無変調キャリア信号を送信するか否かを制御する制御手段と
を備えることを特徴とする電子機器。
【請求項１０】
上記遠隔操作信号受信手段は、上記遠隔操作信号を受光する複数の受光部を有し、
上記制御手段は、各受光部の受光レベルに応じて上記遠隔操作信号の送信位置を判別すること特徴とする請求項９記載の電子機器。
【請求項１１】
上記反射信号受信手段は、上記無変調キャリア信号を発振する発振部と、上記反射信号を復調する復調部と、上記無変調キャリア信号を送信するともに上記反射信号を受信するアンテナとがサーキュレータに接続されてなること特徴とする請求項９記載の電子機器。
【請求項１２】
上記遠隔操作信号の受信状態を報知する報知手段をさらに備えることを特徴とする請求項９記載の電子機器。
【請求項１３】
遠隔操作装置と当該遠隔操作装置によって遠隔操作される電子機器との間で無線伝送を行う無線伝送方法において、
上記遠隔操作装置から送信された遠隔操作信号を受信する遠隔操作信号受信ステップと、
上記遠隔操作信号受信ステップにて受信した遠隔操作信号の受信状態に応じてミリ波帯又はマイクロ波帯の無変調キャリア信号を上記遠隔操作装置に送信する無変調キャリア送信ステップと、
上記無変調キャリア送信ステップにて送信された無変調キャリア信号を受信し、当該無変調キャリア信号を変調して反射信号として上記電子機器に送信する反射信号送信ステップと、
上記反射信号送信ステップにて上記遠隔操作装置から送信された反射信号を受信し、復調する反射信号復調ステップと
を有することを特徴とする無線伝送方法。
【発明の詳細な説明】
【技術分野】
【０００１】
本発明は、高速データ伝送を行う無線伝送システム、遠隔操作装置及び電子機器、並びに無線伝送方法に関する。
【背景技術】
【０００２】
近年、ＰＣ（Personal Computer）やデジタルカメラなどの普及により、家庭内でデータを高速に伝送する必要がある。家庭内の伝送方法として、ＩＥＥＥ（Institute of Electrical and Electronic Engineers）８０２．１１などの無線ネットワークを構築することが考えられる。しかし、この場合、電波の到達距離、エラーの問題、限られた周波数の有効利用など、有線の伝送以上に問題、制約が多い。また、ＩＥＥＥ８０２．１１などの無線ネットワークは、双方向の信号のやりとりのため、受信スタンバイ時などにかかる電力消費が一般の家電機器並みに大きく、コストもかかるのが実情である。
【０００３】
そこで、双方向通信のシステムの複雑さ、コストの問題などを解決すべく、片方向通信で成り立つシステムやアプリケーションが望まれている。
【０００４】
片方向通信の一例としては、赤外線を用いたリモートコントローラ（以下、リモコンという。）を挙げることができる。リモコンは、片方向通信の無線での入力コマンダとして確立され、低コストで製造できる事、電池交換などのメンテナンスが少ない事などから多くの家電製品に付属されている。しかし、リモコンシステムを双方向にして消費電力を増やすことや、コスト高となる複雑なアプリケーションや通信手段を付加することは創出し難い。
【０００５】
また、赤外線を用いた通信として、例えば、ＩｒＤＡ（Infrared Data Association）が知られているが、伝送可能距離が１ｍ程度と短く、伝送レートもそれほど高くないため、リモコンなどを用いて大容量データを家電機器に無線伝送することは困難である。
【０００６】
【特許文献１】特開２００５−２４４３６２号公報
【特許文献２】特開２００５−２５２８１９号公報
【特許文献３】特開２００５−３３３１６９号公報
【発明の開示】
【発明が解決しようとする課題】
【０００７】
ところで、図８に示すように、周波数が３〜３００ＧＨｚ（波長１００〜１ｍｍ）程度のミリ波やマイクロ波は、屋内の家電機器の無線通信に適している。しかしながら、ミリ波やマイクロ波は、直進性が強く、障害物の遮断に弱い。したがって、ミリ波やマイクロ波を用いた無線通信システムでは、指向特性の制御、調整等や、障害物による遮断を回避する手段が必要であった。
【０００８】
例えば、特許文献１に記載された技術では、ミリ波送信装置からレーザビームを照射し、ミリ波の反射板の角度を調整することにより、障害物による遮断を回避しており、また、特許文献２に記載された技術では、ミリ波の送信予告信号の検出結果を基にアンテナの指向方向を回動させることにより、指向特性の調整をより確実かつ迅速に行っている。
【０００９】
しかしながら、特許文献１，２の技術では、ミリ波を送信する際に電力を大きく消費してしまい、低消費電力が求められるリモコンなどに応用することは困難であった。
【００１０】
また、特許文献３には、低消費電力を目的として、バックスキャッタ方式を利用した無線伝送技術が記載されているものの、データ送信側の状況によっては、データ送信側が無変調キャリア信号をデータ受信側から受信できないことがあった。
【００１１】
本発明は、このような従来の実情に鑑みて提案されたものであり、大容量のデータを確実に伝送することができる無線伝送システム、遠隔操作装置及び電子機器、並びに無線伝送方法を提供することを目的とする。
【課題を解決するための手段】
【００１２】
上述の課題を解決するために、本発明に係る無線伝送システムは、遠隔操作装置と当該遠隔操作装置によって遠隔操作される電子機器との間で無線伝送を行う無線伝送システムにおいて、上記遠隔操作装置は、遠隔操作信号を送信する遠隔操作信号送信手段と、上記遠隔操作信号の送信後又は送信中にミリ波帯又はマイクロ波帯の無変調キャリア信号を受信し、当該無変調キャリア信号を変調して反射信号として送信する反射信号送信手段とを備え、上記電子機器は、遠隔操作信号を受信する遠隔操作信号受信手段と、ミリ波帯又はマイクロ波帯の無変調キャリア信号を送信し、当該無変調キャリア信号が変調された反射信号を受信する反射信号受信手段と、上記遠隔操作信号の受信状態に応じて上記無変調キャリア信号を送信するか否かを制御する制御手段とを備えることを特徴としている。
【００１３】
また、本発明に係る遠隔操作装置は、遠隔操作信号を送信する遠隔操作信号送信手段と、上記遠隔操作信号の送信後又は送信中にミリ波帯又はマイクロ波帯の無変調キャリア信号を受信し、当該無変調キャリア信号を変調して反射信号として送信する反射信号送信手段とを備えることを特徴としている。
【００１４】
また、本発明に係る電子機器は、遠隔操作信号を受信する遠隔操作信号受信手段と、ミリ波帯又はマイクロ波帯の無変調キャリア信号を送信し、当該無変調キャリア信号が変調された反射信号を受信する反射信号受信手段と、上記遠隔操作信号の受信状態に応じて上記無変調キャリア信号を送信するか否かを制御する制御手段とを備えることを特徴としている。
【００１５】
また、本発明に係る無線伝送方法は、遠隔操作装置と当該遠隔操作装置によって遠隔操作される電子機器との間で無線伝送を行う無線伝送方法において、上記遠隔操作装置から送信された遠隔操作信号を受信する遠隔操作信号受信ステップと、上記遠隔操作信号受信ステップにて受信した遠隔操作信号の受信状態に応じてミリ波帯又はマイクロ波帯の無変調キャリア信号を上記遠隔操作装置に送信する無変調キャリア送信ステップと、上記無変調キャリア送信ステップにて送信された無変調キャリア信号を受信し、当該無変調キャリア信号を変調して反射信号として上記電子機器に送信する反射信号送信ステップと、上記反射信号送信ステップにて上記遠隔操作装置から送信された反射信号を受信し、復調する反射信号復調ステップとを有することを特徴としている。
【発明の効果】
【００１６】
本発明によれば、遠隔操作装置から送信された遠隔操作信号の受信状態に応じてミリ波帯又はマイクロ波帯の無変調キャリア信号を遠隔操作装置に送信するようにしたため、大容量データを確実に遠隔操作装置から電子機器に伝送させることができる。
【発明を実施するための最良の形態】
【００１７】
以下、本発明を適用した具体的な実施の形態について、図面を参照しながら詳細に説明する。
【００１８】
図１は、本発明の実施の形態の一例の構成を概略的に示すブロック図である。この無線伝送システムは、電子機器２０を遠隔操作するリモートコントローラ（以下、リモコンと呼ぶ。）等の遠隔操作装置１０と、テレビジョン装置等の電子機器２０とを備えて構成される。
【００１９】
遠隔操作装置１０は、遠隔操作信号を電子機器２０に送信する遠隔操作信号送信モジュール１１と、電子機器２０から送信されたミリ波帯又はマイクロ波帯の無変調キャリア信号を受信し、当該無変調キャリア信号を変調して反射信号として電子機器２０に送信する反射信号送信モジュール１２と、遠隔操作信号の制御コマンドや記憶媒体１４に記憶された情報を管理する制御モジュール１３と、電子機器２０に送信する情報を記憶する記憶媒体１４とを備えて構成されている。
【００２０】
遠隔操作送信モジュール１１は、電子機器２０の遠隔操作信号を送信する。遠隔操作信号は、例えば、赤外線のＯＮ／ＯＦＦパルス信号であり、遠隔操作信号の幅は、最大でも数百ｍｓｅｃ程度である。
【００２１】
反射信号送信モジュール１２は、遠隔操作モジュール１１から遠隔操作信号の送信後又は送信中に無変調キャリア信号を受信する。無変調キャリア信号を受信した場合、送信するデータに応じて無変調キャリア信号を例えばＢＰＳＫ（Binary Phase Shift Keying）等にて変調し、反射信号として送信する。
【００２２】
制御モジュール１３は、電子機器２０の制御コマンドや記憶媒体１４に記憶されたデータを管理し、例えば、無変調キャリア信号を変調する際、インターフェース（図示せず。）を介して記憶媒体１４から所望のデータを読み出し、反射信号送信モジュール１２に出力する。
【００２３】
記憶媒体１４は、メモリカード等に相当し、遠隔操作装置１０から着脱可能であることが好ましい。
【００２４】
電子機器２０は、遠隔操作装置１０から送信された遠隔操作信号を受信する遠隔操作信号受信モジュール２１と、ミリ波帯又はマイクロ波帯の無変調キャリア信号を送信し、当該無変調キャリア信号の反射信号を受信する反射信号受信モジュール２２と、遠隔操作受信モジュール２１における遠隔操作信号の受信状態に応じて無変調キャリア信号の送信を制御する制御モジュール２３とを備えて構成されている。
【００２５】
遠隔操作信号受信モジュール２１は、遠隔操作装置１０から送信された遠隔操作信号を受信する。また、遠隔操作信号受信モジュール２１は、遠隔操作信号を受光する複数の受光部を有し、各受光部における遠隔操作信号の受光レベルを比較し、その比較結果を制御モジュール２３に出力する。
【００２６】
反射信号受信モジュール２２は、制御モジュール２３からの命令に応じてミリ波帯又はマイクロ波帯の無変調キャリア信号を送信する。また、制御モジュール２３からの命令に応じて送信した無変調キャリア信号の反射信号を受信し、復調してデータを取得する。
【００２７】
制御モジュール２３は、遠隔操作受信モジュール２１における遠隔操作信号の受信状態に応じて無変調キャリア信号の送信を制御する。具体的には、受光部における遠隔操作信号の受光レベルに応じて遠隔操作装置１０が無変調キャリア信号の受信が可能か否かを判別し、受信可能であると判別した場合、無変調キャリア信号の送信を反射信号受信モジュール２２に命令する。
【００２８】
また、電子機器２０は、遠隔操作装置１０が無変調キャリア信号の受信が可能か否かを報知する報知手段を備えることが好ましい。これにより、ユーザがミリ波帯又はマイクロ波帯のデータ転送が可能か否かを知ることができる。
【００２９】
この無線伝送システムによれば、ユーザがコントロールしようとする電子機器２０の正面に遠隔操作装置１０を向けた状態で制御コマンドを送る際に、直進性の高いミリ波帯又はマイクロ波帯を用いたデータ転送を行うことができる。
【００３０】
図２は、反射信号送信モジュール１２及び反射信号受信モジュール２２の具体的な構成例を示すブロック図である。反射信号送信モジュール１２は、無変調キャリア信号を変調して反射信号とする変調器１２１と、無変調キャリア信号を受信するともに反射信号を送信するアンテナ１２２とがサーキュレータ１２３に接続されている。なお、無変調キャリア信号を増幅するアンプを備えるようにしてもよい。
【００３１】
また、反射信号受信モジュール２２は、無変調キャリア信号を発振する発振器２２１と、反射信号を復調する復調器２２２と、無変調キャリア信号を送信するともに反射信号を受信するアンテナ２２３とがサーキュレータ２２４に接続されている。なお、無変調キャリア信号を増幅するアンプ２２５と、反射波信号を増幅するアンプ２２６とを備えるようにしてもよい。
【００３２】
ここで、サーキュレータ１２３、２２４は、マイクロ波、ミリ波等の送受信で、レーダー、無線通信の分野で幅広く用いられている３ポートの高周波の進行方向を決める電源を必要としないパッシブデバイスである。
【００３３】
続いて、反射信号送信モジュール１２及び反射信号受信モジュール２２における信号の流れについて図３を参照にして説明する。
【００３４】
図３（Ａ）に示すように、無変調キャリア信号を送信する場合、反射信号受信モジュール２２の発振器２２１がオンされ、例えば６０ＧＨｚのミリ波のシングルキャリア（無変調波）が発振される。ミリ波シングルキャリアは、アンプ２２５で増幅され、サーキュレータ２２４を図３（Ａ）に示すように経由し、アンテナ２２３から空間へ放射される。
【００３５】
アンテナ２２３から放射されたミリ波シングルキャリアは、反射信号送信モジュール１２のアンテナ１２２で受信され、サーキュレータ１２３を経由し、変調器１２１に入力される。アンプでミリ波シングルキャリアを増幅する場合、変調器１２１とアンプの電源を連動し、変調が行われている時間だけオン状態にする。これにより、省電力を図ることができる。
【００３６】
変調器１２１は、例えば、記憶媒体１４に記憶されたデータに応じてミリ波シングルキャリアを逐次ＢＰＳＫ変調する。
【００３７】
変調されたミリ波変調波は、図３（Ｂ）に示すように、サーキュレータ１２３を経由し、反射するようにアンテナ１２２から放射される。アンテナ２２３で受信したミリ波変調波は、図３（Ｃ）に示すように、サーキュレータ２２４を経由し、アンプ２２６で増幅され、復調器２２２によって逐次復調される。発振器２２１、復調器２２２、及びアンプ２２５，２２６の電源は連動しており、データ伝送が行われている時間だけオン状態にする。これにより、省電力を図ることができる。
【００３８】
このようにミリ波又はマイクロ波を用いた通信では、同一周波数、同一ペアのアンテナを用いて行うが、一方がキャリア波で他方が変調波なので、Ｓ／Ｎの劣化、混変調、歪といった問題は起きない。言い換えれば、時間軸で処理が進んでいくというよりも、反射させたその時間内に並列処理を行っている。また、遠隔操作装置１０側のローカル信号となるシングルキャリアは、遠隔操作装置１０側で発振されず、電子機器側で発振されるため、遠隔操作装置１０の消費電力を抑えることができる。
【００３９】
次に、本発明の具体的な適用例としてミリ波帯を用いた伝送について説明する。図４は、遠隔操作信号として赤外線信号を送信するリモコン３０と、リモコン３０により遠隔操作されるテレビジョン装置４０とからなるリモートコントロールシステムを示すブロック図である。
【００４０】
リモコン３０からは、赤外線信号の制御コマンドがテレビジョン装置４０に送信される。赤外線信号の受光部は、テレビジョン装置４０の前面に取り付けられており、ユーザは、コントロールしようとするテレビジョン装置４０の正面にリモコン３０を向けた状態でコマンドを送る。この時、ミリ波伝送のパスが確立される。
【００４１】
赤外線送信及びミリ波転送は、例えば、図５に示すようなタイミングで行われる。リモコン３０からの制御コマンドは、赤外線のＯＮ／ＯＦＦパルスであり、その幅は、非常に短く、最大でも８０ｍｓｅｃ程度であるとすると、ガードタイムをとって約１００ｍｓｅｃが赤外線信号の最大送信時間となる。ガードタイムとは、機器内の各ブロックが電源オンしてから安定するための時間や、各ブロックの動作が終了してからある程度時間をおいてオフさせたりするシステムの動作に余裕をもたせるための時間である。
【００４２】
また、電子機器では、処理の都合上、制御コマンドの受信から、例えばチャンネルの切替表示等が遅れることや、ユーザがその次の制御コマンド送信する必要性から、リモコン３０がテレビジョン装置４０に長く向け続けられることとなる。また、ユーザは、リモコン３０とテレビジョン装置４０の間に障害物を置いてリモコン３０を使用することは考えにくく、人間などの障害物がリモコン３０とテレビジョン装置４０の間を通過した場合は、接続が確立しないことにも理解がある。これらを考慮してユーザがリモコン３０をテレビジョン装置４０に向けていられる許容時間を０.５秒とすると、差し引き４００ｍｓｅｃ程度がミリ波のデータ転送に使用できる時間となる。
【００４３】
図４に戻って、テレビジョン装置４０は、第１の受光部４１と、第２の受光部４２と、第１の受光部４１で受光された赤外線信号を積分する積分器４３と、第２の受光部４２で受光された赤外線信号を積分する積分器４４と、第１の受光部４１で受光された赤外線信号の受光レベルと、第２の受光部４２で受光された赤外線信号の受光レベルを比較する比較器４５と、第１の受光部４１で受光された赤外線信号を増幅するアンプ４６と、赤外線信号の特定の周波数範囲を通過させるＢＰＦ（Band Pass Filter）４７と、赤外線信号から制御コマンドを取り出す検波器４８と、制御コマンドの波形を整形する波形整形部４９とを備えている。
【００４４】
また、テレビジョン装置４０は、一般的な構成である、アナログチューナ５０と、デジタルチューナ５１と、デジタル信号プロセッサ５２と、映像信号プロセッサ５３と、ディスプレイ５４とを備えている。
【００４５】
第１の受光部４１で受光された赤外線信号は、アンプ４６で増幅され、ＢＰＦ４７、検波器４８、及び波形整形部４９を介して制御コマンドが生成され、デジタル信号処理プロセッサ５２に入力される。
【００４６】
また、第１の受光部４１及び第２の受光部４２のフォトダイオードは、それぞれ赤外線パルスを受け電流を発生する。抵抗でグラウンド接地しているので、抵抗の反対側では、受光パルスの大きさに比例した電圧が発生する。また、この２つの電圧は、連続したパルスで扱いにくいため、それぞれ積分器４３，４４にかけてある程度平滑された２つの電圧として比較器４５で比較する。比較結果は、図１に示す制御モジュール２３に相当するデジタル信号処理プロセッサ５２へ出力され、図１に示す反射信号受信モジュール２２における無変調キャリア信号の送信の制御に用いられる。
【００４７】
ここで、第１の受光部４１及び第２の受光部４２の設置例について図６を用いて説明する。図６に示す構成例では、受光可能角度が１２０°の通常の第１の受光部４１と、赤外線信号の受光指向性を３０°に鋭くした第２の受光部４２とがテレビジョン装置４０の前面に設けられている。また、受光可能角度を３０°とするために、第２の受光部４２には、遮蔽板６０が設けられている。
【００４８】
第１の受光部４１及び第２の受光部４２のフォトダイオードからほぼ同様な出力が得られれば、鋭い指向性を持った第２の受光部４２の指向性範囲（３０°）内にリモコン３０があることが判別でき、ミリ波のパス（伝送路）としては望ましい。一方、テレビジョン装置４０の横方向（３０°〜１２０°）から赤外線信号が出力された場合、第２の受光部４２の積分器４４からは電圧が得られないので、ミリ波のパス（伝送路）として厳しい状況であることが判別できる。
【００４９】
同様に受光部を増やすことにより、テレビジョン装置４０は、リモコン３０が位置する角度を高い分解能で知ることができる。
【００５０】
なお、ミリ波伝送路の判別結果は、ユーザに対し報知するようにしてもよい。例えば、ディスプレイ５４上に“転送不可”などのメッセージを表示したり、転送可能を知らせるＬＥＤ（Light Emitting Diode）等をテレビジョン装置４０に設けたりしてもよい。また、リモコン３０側に無変調キャリア信号を受信しない旨を知らせる報知手段を設けてもよい。
【００５１】
また、上記構成例では遮蔽板６０によって受光指向性を発現させることとしたが、これに限らず、赤外線フォトダイオードユニットの光学レンズの特性の変更することにより、受光指向性を鋭くしてもよい。
【００５２】
続いて、リモコン３０及びテレビジョン装置４０の動作について図７に示すフローチャートを参照して説明する。
【００５３】
リモコン３０の動作は以下の通りである。ユーザのリモコン操作によって、例えば高速データ転送スイッチが押されると、高速転送モードに移行する（ステップＳ１０）。この際、図１に示す制御モジュール１３は、例えば、記憶媒体１４に記憶されたデータの容量（ビット数、バイト数）を算出し、これを送るべきデータ容量とする（ステップＳ１１）。また、データ容量と通信ビットレートから通信時間を算出し、通信終了時間を指定する（ステップＳ１２）。例えば、１６０Ｍｂｐｓの転送レートで、１０ＭＢ（すなわち８０Ｍｂｉｔ）転送すると、８０Ｍｂｉｔ/１６０Ｍｂｐｓ＝０.５ｓｅｃの時間が転送終了までにかかる。通信終了時間は、この時間にさらにガードタイムを含めたものとなる。
【００５４】
ステップＳ１３において、遠隔操作信号送信モジュール１１は、高速転送モードの制御コマンド及びステップＳ１１で算出したデータ容量をテレビジョン装置４０に送信する。
【００５５】
ステップＳ１４において、反射信号送信モジュール１２は、図２に示す変調器１２１及びアンプ（図示せず）をオン状態とし、ガードタイムＧＴ２の期間、待機する（ステップＳ１５）。
【００５６】
ガードタイムＧＴ２の期間経過後、反射信号送信モジュール１２は、テレビジョン装置４０から送信されたミリ波の無変調キャリア信号を受信し、変調器１２２にてデータの変調を開始する（ステップＳ１６）。変調器１２１にて変調されたミリ波変調波は、反射波信号としてサーキュレータ１２３を介してテレビジョン装置４０に送信される。
【００５７】
データの変調終了後（ステップＳ１７）、ガードタイムに入り、ステップＳ１２にて指定した通信終了時間が経過したか否かを判別する（ステップＳ１８）。通信終了時間が終了した場合、変調器１２２及びアンプをオフ状態とする（ステップＳ１９）。
【００５８】
また、テレビジョン装置４０の動作は以下の通りである。先ず、図１に示す遠隔操作信号受信モジュール２１は、リモコン３０から送信された高速転送モードの制御コマンド及びデータ容量についての赤外線信号を受信する（ステップＳ２０）。
【００５９】
ステップＳ２１において、制御モジュール２３は、遠隔操作信号受信モジュール２１における赤外線信号の受信状況を判別する。具体的には、図４に示すように、受光指向性の異なる受光部４１，４２の受光レベルを比較器４５で比較し、比較結果よりリモコン３０が位置する角度を判別し、ミリ波を用いた転送が可能か否かを判別する。
【００６０】
ステップＳ２１において受信状況が良好な場合、ステップＳ２２に進み、ステップＳ２０にて受信したデータ容量と通信ビットレートから通信時間を算出し、通信終了時間を指定する（ステップＳ２２）。
【００６１】
ステップＳ２３において、反射信号受信モジュール２２は、図２に示す復調器２２２及びアンプ２２５，２２６をオン状態とし、ガードタイムＧＴ１の期間、待機する（ステップＳ２４）。このガードタイムＧＴ１は、リモコン３０がユーザによりテレビジョン装置４０に向けられた状態であることから、１ｍｓｅｃより短い時間であることが好ましい。また、リモコン３０のガードタイムＧＴ２よりも短い時間であることが好ましい。
【００６２】
ガードタイムＧＴ１の期間経過後、反射信号受信モジュール２２は、図２に示す発振器２２１からミリ波を発振し、サーキュレータ２２４を介して無変調キャリア信号をリモコン３０に送信する。そして、リモコン３０にて変調されたミリ波変調波をアンテナ２２３が受信し、サーキュレータ２２４を介して復調器２２２に入力され、データの復調が開始する（ステップＳ２５）。
【００６３】
データの復調終了後（ステップＳ２６）、ガードタイムに入り、ステップＳ２２にて指定した通信終了時間が経過したか否かを判別する（ステップＳ２７）。通信終了時間が終了した場合、変調器２２２及びアンプ２２５，２２６をオフ状態とする（ステップＳ２８）。
【００６４】
このようにリモコン３０のユーザ操作で、例えば高速データ転送スイッチが押された際、リモコン３０とテレビジョン装置４０との間のミリ波伝送パスが確立されたときにだけ、データが転送されるため、大容量のデータ転送を確実に行うことができる。例えば、デジタルカメラのＪＰＥＧ（Joint Photographic Experts Group）画像を１６０Ｍｂｐｓで転送する場合、かなり高精細である５００万画素の写真一枚の約２.５ＭＢのデータは、この１枚が２０Ｍｂｉｔであるので、０.１２５秒で転送することができる。
【００６５】
また、ミリ波は、テレビジョン装置４０側の発振器２２１から発振され、リモコン３０側で発振されないため、リモコン３０の消費電力を抑えることができる。例えば、本実施の形態の転送時において、通常のリモコン機能の消費電力を除いて、リモコン３０に付加された内部回路の消費電力を１００ｍＷとし、１日に１０秒間、１年間（３６０日）使うとすると、３６０×１０＝３６００（秒）＝６０（分）＝１（時間）であるから、年間のトータル消費電力は１００ｍＷｈである。したがって、通常の単三電池１本の実用エネルギー容量を１５００〜２０００ｍＷｈとすると、年間の消費量は、この電池の実用エネルギーの１０％以下となり、計算上電池のエネルギーはほとんど減らないことになる。
【００６６】
なお、上記実施の形態では、データ容量と通信ビットレートから通信時間を算出し、通信終了時間が経過した場合に変調器、復調器等をオフ状態とすることとしたが、これに限られるものではなく、送信又は受信したデータ量を測定し、データの送信完了又は受信完了の場合に変調器、復調器等をオフ状態とすることとしてもよい。また、データの送信完了又は受信完了していない場合であっても、所定の時間が経過したとき変調器、復調器等をオフ状態とすることとしてもよい。
【図面の簡単な説明】
【００６７】
【図１】本発明の実施の形態の一例の構成を概略的に示すブロック図である。
【図２】反射信号送信モジュール及び反射信号受信モジュールの具体的な構成例を示すブロック図である。
【図３】反射信号送信モジュール及び反射信号受信モジュールにおける信号の流れを示す模式図である
【図４】リモートコントロールシステムを示すブロック図である。
【図５】赤外線送信及びミリ波転送のタイミングを説明するための図である。
【図６】赤外線信号の受光部の設置例を示す図である。
【図７】リモコンシステムの動作を説明するフローチャートである。
【図８】無線通信技術における帯域使用状況を示す模式図である。
【符号の説明】
【００６８】
１０  遠隔操作装置、  １１  遠隔操作信号送信モジュール、  １２  反射信号送信モジュール、  １３  制御モジュール、  １４  記録媒体  ２０  電子機器、  ２１  遠隔操作信号受信モジュール、  ２２  反射信号受信モジュール、  ２３  制御モジュール
【図１】
2008131598.tif 000003
【図２】
2008131598.tif 000004
【図３】
2008131598.tif 000005
【図４】
2008131598.tif 000006
【図５】
2008131598.tif 000007
【図６】
2008131598.tif 000008
【図７】
2008131598.tif 000009
【図８】
2008131598.tif 000010